(57)【要約】【課題】サマータイムとウインタータイムの切替え当日のほぼ切替え時刻より、正しい時刻を表示させることの出来る電波修正時計を提供する。【解決手段】標準時刻を受信して時刻補正を行う電波時計であって、受信した時刻情報がサマータイムかウインタータイムかを検出するサマータイム検出手段５と、サマータイムかウインタータイムかを検出した時受信開始時刻を変更するよう信号を送出する受信開始時刻記憶手段６と、時計内の時刻をカウントするメインカウンタ７と、受信開始時刻記憶手段６の開始時刻とメインカウンタ７の時刻が一致したことを検出する受信開始時刻検出手段１０と、この受信開始時刻検出手段１０の信号により受信回路２をＯＮ／ＯＦＦさせる受信回路ＯＮ／ＯＦＦ手段１１より成り、受信開始時刻記憶手段６はウインタータイムの受信開始時刻６Ａよりサマータイムの受信開始時刻６Ｂを１時間遅らせた時刻が記憶されている。【選択図】      図１
2004191263.tif 000002
【特許請求の範囲】
【請求項１】
標準時刻を受信して時刻補正を行う電波時計において、サマータイムの受信時刻とウインタータイムの受信時刻とで、その自動受信時刻を異ならせたことを特徴とする電波時計。
【請求項２】
サマータイムの受信時刻とウインタータイムの受信時刻とでは、自動受信時刻が同一時刻では受信しないよう自動受信時刻を異ならせたことを特徴とする請求項１に記載の電波時計。
【請求項３】
ウインタータイムの受信時刻よりサマータイムの受信時刻を、その自動受信時刻を１時間遅らせたことを特徴とする請求項１又は請求項２に記載の電波時計。
【請求項４】
標準時刻を受信して時刻補正を行う電波時計において、受信した時刻情報がサマータイムであるかウインタータイムであるかを検出するサマータイム検出手段と、サマータイムかウインタータイムかを検出した時受信開始時刻を変更するよう信号を送出する受信開始時刻記憶手段と、時計内の時刻をカウントするメインカウンタと、前記受信開始時刻記憶手段の開始時刻と前記メインカウンタの時刻が一致したことを検出する受信開始時刻検出手段と、該受信開始時刻検出手段の信号により受信回路をＯＮ／ＯＦＦさせる受信回路ＯＮ／ＯＦＦ手段より成り、前記受信開始時刻記憶手段はウインタータイムの受信開始時刻よりサマータイムの受信開始時刻を１時間遅らせた時刻が記憶されていることを特徴とする電波時計。
【発明の詳細な説明】
【０００１】
【発明の属する技術分野】
本発明は電波時計に関するもので、詳しくはサマータイム制度が導入されたときに好適な電波時計に関する。
【０００２】
【従来の技術】
近年、標準電波を受信して時刻を補正することの出来る電波時計が多く見られるようになってきた。これは独立行政法人通信総合研究所が発信する、東日本は福島県からの電波を、西日本は佐賀県からの電波を１日に１回受信して、自分の時計の時刻を修正することにより非常に精度の良い時刻を常に知ることが出来る時計である。ところで現在、日本はサマータイム制度を導入はしていないが、アメリカやヨーロッパなどはサマータイム制度を導入している。このため日本もこのサマータイム制度を導入しようとする動きが見られるところである。
【０００３】
現在の電波時計は、定期的（例えば1日1回）に標準電波を受信して時刻を補正する方法を採っている。（例えば、特許文献１参照）。これは、受信にも電力を必要とするので、時計特に腕時計の場合、消費電力を少しでも節約しようとする為に、必須の事柄である。これらの電波時計は一年を通して定められた時刻、例えば午前２：００（以下２：００AM等と記載）、に自動受信し時刻を補正するものが一般的である。２：００AMに受信時間を決めているのは、なるべく人が寝ている間に受信をしておこうという点と、生活で発生するノイズが少ない夜中に受信を行なうことで受信の成功率を高める点にある。
【０００４】
ところで、サマータイム制を実施している国や地域、例えばヨーロッパ等ではサマータイムからウインタータイムへの切替えは、３：００ＡＭに時間を１時間戻し２：００AMとし、またウインタータイムからサマータイムの切替えは２：００AMに時間を１時間進めて３：００AMとするのが一般的である。次にこの自動受信において、サマータイム制が導入されたときの受信システムについて図面を用いて説明する。
【０００５】
図４と図５は、自動受信時間を午前２時の時にサマータイムからウインタータイムへ、またウインタータイムからサマータイムへ移行する受信システムを説明する説明図であり、図６と図７は、自動受信時間を午前３時の時にサマータイムからウインタータイムへ、またウインタータイムからサマータイムへ移行する受信システムを説明する説明図である。図において、ＳＴはサマータイム、ＷＴはウインタータイムを示す。
【０００６】
まず、２：００AMに自動受信する電波時計が、サマータイムからウインタータイムに切り替るときに自動受信する場合ついて図４を用いて説明する。サマータイムの２：００ＡＭになり自動受信を開始するとき送信されてくる時刻データはサマータイム２：００ＡＭである。受信の処理におよそ２分程かかるので自動受信が終了したときの時刻はサマータイム２:０２AMである（図４（１））。その後サマータイム２：５９AMの1分後に時刻はウインタータイム２：００AMになる（図４（２））のであるが、受信時刻は２：００AMに決められているので、この時間では受信をしない。
【０００７】
このため、電波時計の表示時刻は実際の時刻に対し１時間進んだ時刻３：００AMを表示することになる（図４（３））。この１時間の進みは次回の自動受信が成功するまで継続する。更にこのとき、サマータイム２：００AMの受信が成功しているので受信結果確認を行っても表示時刻が実際の時間より１時間進んでいるにも関わらず“受信ＯＫ”が表示されてしまう（図４（４））。
【０００８】
次に、この電波時計がウインタータイムからサマータイムに切り替る場合を図５により説明する。ウインタータイム２：００AMになり自動受信を開始する。このとき、送信されてくる時刻データはサマータイム３:００AMになっているから（図５（１））、自動受信処理の間に電波時計内部の時刻データがウインタータイム２：００AMからサマータイム３：００AMに更新され、自動受信が終了したときの時刻は３：０２AMとなり、実際の時刻と一致する（図５（２））。
【０００９】
ただし、受信処理中の送信時刻サマータイム３：００‘００AM〜３：０１‘５９AMの間の約２分間は電波時計に表示される時刻はウインタータイム２：００‘００AM〜２：０１‘５９AMであり、実際の時刻に対し１時間遅れるが、２：０２AMにはサマータイム３：０２AMに替わるので、問題は発生しない。以上が自動受信を２：００ＡＭとしたときの受信システムである。
【００１０】
次に自動受信が２：００AMでなく３：００AMに１回受信する電波時計の場合について図６と図７を用いて説明する。まず図６の説明図により３：００AMに自動受信する電波時計がサマータイムからウインタータイムに切り替るときを説明する。サマータイム３：００AMになり自動受信を開始するとき、送信されてくる時刻データはウインタータイム２：００AMに切り替っているから（図６（１））、自動受信処理の間に電波時計内部の時刻データが３：００AMからウインタータイム２：０２AMに更新され、自動受信が終了したときの時刻は２：０２AMが表示され、実際の時刻と一致しており問題は無い（図６（２））。
【００１１】
ただし２：００自動受信の時同様、受信処理中の送信時刻ウインタータイム２：００‘００AM〜２：０１‘５９AMの間の約２分間は電波時計に表示される時刻はサマータイム３：００’００AM〜３：０１‘５９AMであり、実際の時刻に対し１時間進んでいるが、夜間でもあるし短時間であるので大きな問題とはならない。
【００１２】
今度はこの電波時計がウインタータイムからサマータイムに切り替るときの受信について図７の説明図により説明する。まず、送信時刻はウインタータイム２：００AMに時刻を１時間進める。つまり、ウインタータイム１：５９AMの１分後にサマータイム３：００AMになる（図７（１））。このとき電波時計の表示時刻はウインタータイム２：００AMであるから、自動受信時刻とはなっていないので、送信時刻つまり実際の時刻に対し電波時計の表示時刻は１時間遅れることになる（図７（２））。
【００１３】
その後１時間後の電波時計表示時刻がウインタータイム３：００AMの自動受信時刻となると、電波時計内部の時刻データはウインタータイム３：００AMから処理時間後のサマータイム４：０２AMに更新されこの時点で遅れは解消される（図７（３））。しかし、ウインタータイムの２：００AMから３：００AMまでの間は電波時計は１時間遅れることとなる。
【００１４】
以上が自動受信時刻を、２：００ＡＭ１回の場合と３：００ＡＭ１回の場合としたときの各々の説明である。ところでこの他に自動受信を複数回に増やそうとする技術も、特許文献１には記載されている。
【００１５】
【特許文献１】
特開２０００−１７１５７６号公報（第２頁  第１欄  第４４行〜第４９行  及び  第５頁  第８欄  第１行〜第４９行と第４図）
【００１６】
【発明が解決しようとする課題】
上記に説明したように、１日に１回の受信しかしない場合、例えば２：００ＡＭの場合は、ウインタータイムからサマータイムに替わる場合は２分程度の表示狂いで大きな問題は無いが、サマータイムからウインタータイムに替わる場合は１時間の進みが次回の自動受信が成功するまで（最大１日間）継続することとなる。更にこの時サマータイム２：００AMの受信が成功しているので、受信結果確認を行っても表示時刻が実際の時間より１時間進んでいるにも関わらず“受信ＯＫ”が表示されてしまうと言う課題を有することとなり、時刻精度を求められる電波時計としては致命的な欠陥となってしまう。
【００１７】
では１日１回の受信を３：００ＡＭとした時はどうかと言うと、サマータイムからウインタータイムへ替わるときは大きな問題はないが、ウインタータイムからサマータイムに替わる場合、自動受信が成されるまでの１時間は表示時刻が遅れる結果となり、表示狂いが発生してしまうと言う欠点を有することとなる。
【００１８】
もう１つの従来例として、特許文献１にあるように、サマータイムとウインタータイム切替え発生のときに、受信回数を増やす方法については、消費電力を極力低減しようとする時計にとって電池の消耗を早めることとなり、特に腕時計に用いるのは大きな不利を生ずる。
【００１９】
本願の目的は、サマータイムとウインタータイムとで自動受信する時刻を変更することによって、切替え日当日の切替え時刻から正しい時刻を表示させることの出来る、時刻修正を正確に行える電波修正時計を提供することにある。
【００２０】
【課題を解決するための手段】
本発明は上記課題を解決する為に成されたもので以下の要旨を有する。即ち、標準時刻を受信して時刻補正を行う電波時計であって、サマータイムの受信時刻とウインタータイムの受信時刻とで、その自動受信時刻が同一時刻では受信しないように異ならせたものであり、詳しくはウインタータイムの受信時刻よりサマータイムの受信時刻を１時間遅らせて自動受信させようとするものである。
【００２１】
【発明の実施の形態】
以下図面を用いて本発明の一実施の形態を詳細に説明する。図１は本発明の一実施の形態を示すシステムブロック図である。
図１において、１はアンテナで、発信されてくる標準時刻の電波を受信する。２は受信回路で、アンテナ１で受信した電波信号を増幅しフィルタ処理して検波を行なう。３は受信データ蓄積部で、受信された時刻情報を一時蓄積し記憶しておく回路である。４は受信データ検査手段で、受信データ蓄積部３に記憶されている時刻情報が正しく受信されたかどうかを検査する回路である。
【００２２】
５はサマータイム検出手段で、受信された情報がサマータイム情報であるかウインタータイム情報であるかを検出するところ。例えば予備ビットとして、ＳＵ１＝ＳＵ２＝０では「６日以内にサマータイムへの変更無し」、ＳＵ１＝１・ＳＵ２＝０では「６日以内にサマータイムへの変更有り」、ＳＵ１＝０・ＳＵ２＝１では「サマータイム実施中」、ＳＵ１＝ＳＵ２＝１では「６日以内にサマータイム終了」のような検出を行い（詳細は特許文献１を参照）、この情報を送信する。そして、サマータイム検出手段５でサマータイムが検出されたときは後述の受信開始時刻記憶手段へ送信し、サマータイムが検出されないときは後述のメインカウンタへ信号を送信する。
【００２３】
６は受信開始時刻記憶手段で、ウインタータイムとサマータイムそれぞれの期間中の自動受信を開始する時刻を記憶する。即ち、ウインタータイム期間中の自動受信開始時刻データ２：００ＡＭを記憶しておくウインタータイム用受信開始時刻６Ａと、サマータイム期間中の自動受信開始時刻データ３：００ＡＭを記憶しておくサマータイム用受信開始時刻６Ｂとより成る。７はメインカウンタで、電波時計内の時刻のメインカウントを行なうと同時に、受信が正しく行なわれた場合は時刻データとカレンダーデータを変更する。
【００２４】
８は表示駆動回路、９は表示駆動回路８からの信号により情報を表示する表示部で、時刻データを表示する時刻表示部９Ａとカレンダーデータを表示するカレンダー表示部９Ｂ、及びサマータイムが検出された場合はサマータイム情報を表示するサマータイム情報表示部９Ｃより成る。
【００２５】
１０は受信開始時刻検出手段で、受信開始時刻記憶手段６から出力される自動受信開始時刻とメインカウンタ−７の時刻からの各情報を入力し両者を比較することによって一致した場合は受信回路ON／ＯFF手段へ受信開始命令を出力する。即ち、サマータイム検出手段５の検出結果により、サマータイムが検出されたときは受信開始時刻記憶手段６のサマータイム用受信開始時刻６Ｂを選択して受信開始時刻検出手段１０に出力し、また、サマータイム検出手段５がサマータイムを検出しなかったときはウインタータイム用受信開始時刻６Ａを受信開始時刻検出手段１０に出力する。
【００２６】
この情報とメインカウンタ−７の時刻情報を比較し一致したとき受信開始命令を出力するのである。１１は受信回路ＯＮ／ＯＦＦ手段で、受信開始時刻検出手段１０からの受信開始命令を受け取った場合は受信回路にＯＮ命令を出力する。
【００２７】
次に本実施形態のシステムの動作を、図１及び図２と図３の受信システム図と受信態様を説明する説明図を用いて詳述する。
本実施形態の電波時計は、前述の予備ビットのうちＳＵ１＝ＳＵ２＝０の「６日以内にサマータイムへの変更無し」即ちウインタータイム実施中のビットと、ＳＵ１＝０・ＳＵ２＝１の「サマータイム実施中」のビットを検出するものとする。
【００２８】
例えば現在、ウインタータイムを受信中であるとすると、受信回路２はウインタータイム時刻情報を受信し受信データ蓄積部３に情報を一時蓄積する。そしてサマータイム検出手段５で受信された情報がウインタータイム情報を受信したことを検出するとメインカウンタ７へ送信し、メインカウンタ７の時刻を修正する。この修正された時刻を表示駆動回路８を介して表示部９へ送信し、時刻表示部９Ａで時刻を、カレンダー表示部９Ｂでカレンダーを各々表示する。電波時計は次の受信があるまではメインカウンタ７で計時する時刻を表示部９にて表示する。
【００２９】
次にウインタータイムが終わってサマータイムへ移行する動作について図３を参考して説明する。移行前では電波時計はウインタータイムが２：００ＡＭに受信するよう構成されている。電波時計のメインカウンタ７が２：００ＡＭになると、受信開始時刻検出手段１０へ２：００ＡＭの時刻信号を送信する。受信開始時刻記憶手段６からはこの時点ではウインタータイム用受信開始時刻６Ａの２：００ＡＭが送信されているから、この時点では受信開始時刻記憶手段６で設定された時刻とメインカウンタ７の時刻が一致する。すると受信回路ON/OFF手段１１がON命令を出し受信回路２が受信を開始する。
【００３０】
ここで受信回路２が受信する時刻はウインタータイムの２：００ＡＭの予定であるが、送信時刻はこの時点ではサマータイムの３：００ＡＭに変更されている。即ちアンテナ１から得られる電波を受ける受信回路２は、予備ビットがＳＵ１＝０・ＳＵ２＝１のデータを含んだ３：００ＡＭを受信することとなる。
【００３１】
受信回路２はこの受信データを受信データ蓄積部３へ送る。蓄積されたデータは受信データ検査手段４へ送られデータが正しければサマータイム検査手段５へ送られる。前述のように送信時刻情報は既にサマータイムの予備ビットを含む３：００ＡＭとなっている（図３の送信時刻参照）ため、サマータイム検出手段５ではサマータイムを検出し、受信開始時刻記憶手段６へこの情報を送信する。受信開始時刻記憶手段６はこの情報によってサマータイム用受信開始時刻６Ｂの３：００ＡＭで受信を開始するように受信開始時刻検出手段１０へ命令を送る。
【００３２】
同時にサマータイム検出手段５はこの受信したサマータイム時刻３：００ＡＭをメインカウンタ７へ送信しメインカウンタ７の時刻をサマータイム時刻に修正する動作に入る。従来技術で述べたように、電波時計は自動受信をしてから表示が替わるまでに２分程掛かるので２：０１‘５９ＡＭまではウインタータイムを表示しているが、その１秒後には図３に示すように、サマータイム３：０２ＡＭを表示することとなる。尚、メインカウンタ７は、この時刻を表示駆動回路８を介して表示部９にて時刻やカレンダーを表示する。同時にサマータイム情報表示部９Ｃにてサマータイム時刻を表示していることを明示する。以降は電波時計がサマータイム時刻を受信表示する。
【００３３】
さて次に、サマータイムからウインタータイムへ移行する動作について図２を参照して説明する。まず、メインカウンタ７がサマータイムの３：００ＡＭになると、受信開始時刻検出手段１０へ３：００ＡＭの時刻信号を送信する。受信開始時刻記憶手段６からは未だサマータイム用受信開始時刻６Ｂの３：００ＡＭが送信されているから、一致を検出すると受信回路ON/OFF手段１１がON命令を出し、受信回路２が受信を開始する。
【００３４】
サマータイム変更時と同様、受信時刻はサマータイムの３：００ＡＭの予定であるが、送信されてくる時刻はウインタータイムの２：００ＡＭに変更されている。このため受信回路２がアンテナ１から得る時刻情報は、予備ビットがＳＵ１＝ＳＵ２＝０のデータを含んだ２：００ＡＭである。即ち、受信回路２はウインタータイムの予備ビットを含む２：００ＡＭを受信する。
【００３５】
受信回路２はこの受信データを受信データ蓄積部３へ送る。この蓄積部３に蓄積された時刻情報は受信データ検査手段４にて検査され、情報が正しければサマータイム検査手段５へ送られる。送信されてきた時刻情報は既にウインタータイム時刻の２：００ＡＭとなっている（図２の送信時刻参照）。このためサマータイム検出手段５は予備ビットによりウインタータイムを検出し、受信開始時刻記憶手段６へこの情報を送信する。受信開始時刻記憶手段６はこの情報によってウインタータイム用受信開始時刻６Ａの２：００ＡＭで受信を開始するように受信開始時刻検出手段１０へ命令を送る。
【００３６】
サマータイム検出手段５は受信したウインタータイム時刻２：００ＡＭを、同時にメインカウンタ７へ送信しメインカウンタ７の時刻をウインタータイム時刻に修正する。電波時計は、３：０１‘５９ＡＭまではサマータイムを表示しているが、その１秒後にはウインタータイム２：０２ＡＭを表示する（図２自動受信時刻参照）。そしてメインカウンタ７は、この時刻を表示駆動回路８を介して表示部９にて時刻やカレンダーを表示する。以降は電波時計がウインタータイム時刻を受信し表示する。
【００３７】
以上により、サマータイム中は３：００AMに自動受信を行い、サマータイムからウインタータイムへ切替え時は当日の切替え時刻に２分程の遅延はあるがウインタータイム時刻を受信し表示することが出来る。またウインタータイム中は２：００AMに自動受信を行い、ウインタータイムからサマータイムへの切替え時はその当日の切替え時刻に、やはり２分程の遅延はあるが、サマータイム時刻を受信し表示することができる。
【００３８】
本実施例では自動受信の受信時刻をサマータイム中は３：００、ウインタータイム中は２：００としたが、この時刻に拘ることなく他の時刻でも良いことはもちろんである。サマータイムからウインタータイムへの切替え時刻またはウインタータイムからサマータイムへの切替え時刻は実情にあわせて、受信時刻を設定するとよい。要はサマータイムの受信時刻とウインタータイムの受信時刻を異ならせることであり、この際サマータイムの受信時刻を１時間遅らせた受信時刻にすれば良い。
【００３９】
【発明の効果】
本発明によれば、サマータイム中は、例えば３：００AMに自動受信を実施することにより、サマータイムからウインタータイムへ切替え当日の切替え時刻に受信を行うため、切替え時刻直後から正しい時刻を表示することができるようになる。同様に、ウインタータイム中は、例えば２：００AMに自動受信を行うことにより、ウインタータイムからサマータイムへの切替え当日の切替え時刻に受信を行うため、切替え直後より正しい時刻を表示することができるようになる。
【図面の簡単な説明】
【図１】本発明の一実施の形態を示すシステムブロック図である。
【図２】本実施の形態によるサマータイムからウインタータイムへ移行する時の受信システムを説明する説明図である。
【図３】本実施の形態によるウインタータイムからサマータイムへ移行する時の受信システムを説明する説明図である。
【図４】従来技術による自動受信時間を午前２時とした時のサマータイムからウインタータイムへ移行するときの受信システムを説明する説明図である。
【図５】従来技術による自動受信時間を午前２時とした時のウインタータイムからサマータイムへ移行するときの受信システムを説明する説明図である。
【図６】従来技術による自動受信時間を午前３時とした時のサマータイムからウインタータイムへ移行するときの受信システムを説明する説明図である。
【図７】従来技術による自動受信時間を午前３時とした時のウインタータイムからサマータイムへ移行するときの受信システムを説明する説明図である。
【符号の説明】
１  アンテナ
２  受信回路
３  受信データ蓄積部
５  サマータイム検出手段
６  受信開始時刻記憶手段
６Ａ  ウインタータイム用受信開始時刻
６Ｂ  サマータイム用受信開始時刻
７  メインカウンタ
８  表示駆動回路
９  表示部
１０  受信開始時刻検出手段
１１  受信回路ＯＮ／ＯＦＦ手段
【図１】
2004191263.tif 000003
【図２】
2004191263.tif 000004
【図３】
2004191263.tif 000005
【図４】
2004191263.tif 000006
【図５】
2004191263.tif 000007
【図６】
2004191263.tif 000008
【図７】
2004191263.tif 000009